(57)【要約】【課題】  コンパクトな構成で、戒名等の追加や削除が容易な霊標を提供する。【解決手段】  基台３と、基台３に設けられる６つの表示部材５と、表示部材５の上方に設けられる蓋部材７とを備える。基台３は、横断面六角形状の土台部９と、土台部９の中央部から上方へ延出する柱部１１とを備える。柱部１１は、横断面正六角形状とされ、土台部９の中央部に立設されている。柱部１１の上面中央部には、六角形状の穴１３が下方へ凹んで形成されている。表示部材５は、本体片２１と、本体片２１の上端部から水平に延出する上片２３と、上片２３の先端部から下方へ延出する係止片２５とを有する。表示部材５は、その上端部が、柱部１１の上端部の穴１３に引っ掛けられて基台３に着脱可能に設けられる。【選択図】  図６
0003180603.tif 000002
【実用新案登録請求の範囲】
【請求項１】
基台と、
この基台の周囲に着脱可能に設けられる複数の表示部材と
を備えることを特徴とする霊標。
【請求項２】
前記基台は、横断面正多角形状の柱部を有し、その各側面に前記表示部材がそれぞれ着脱可能に設けられ、
前記各表示部材は、前記柱部の一側面に当接するよう設けられる
ことを特徴とする請求項１に記載の霊標。
【請求項３】
前記表示部材は、その上端部が前記柱部の上端部に引っ掛けられて前記柱部に取り付けられる
ことを特徴とする請求項１または請求項２に記載の霊標。
【請求項４】
前記表示部材の上部に重ねられる蓋部材をさらに備える
ことを特徴とする請求項３に記載の霊標。
【請求項５】
前記柱部の上端部には、前記表示部材の引っ掛け部分同士で穴が形成され、この穴にはめ込まれる差込部が前記蓋部材に形成されている
ことを特徴とする請求項４に記載の霊標。
【考案の詳細な説明】
【技術分野】
【０００１】
本考案は、霊標に関するものである。
【背景技術】
【０００２】
お墓には墓石の他に霊標が設けられることがある。
従来、霊標は、一枚の石板により構成されており、その表面に戒名などが刻まれていた。
【考案の概要】
【考案が解決しようとする課題】
【０００３】
しかしながら、従来の霊標は、一枚の石板に複数の戒名などを刻むため、石板を大きくする必要があり、お墓の土地が小さい場合には、霊標を設けることが困難であった。また、戒名などの追加、削除も難しかった。
【０００４】
本考案が解決しようとする課題は、コンパクトな構成で、戒名等の追加や削除が容易な霊標を提供することにある。
【課題を解決するための手段】
【０００５】
本考案は、前記課題を解決するためになされたもので、請求項１に記載の考案は、基台と、この基台の周囲に着脱可能に設けられる複数の表示部材とを備えることを特徴とする霊標である。
【０００６】
請求項２に記載の考案は、前記基台は、横断面正多角形状の柱部を有し、その各側面に前記表示部材がそれぞれ着脱可能に設けられ、前記各表示部材は、前記柱部の一側面に当接するよう設けられることを特徴とする請求項１に記載の霊標である。
【０００７】
請求項３に記載の考案は、前記表示部材は、その上端部が前記柱部の上端部に引っ掛けられて前記柱部に取り付けられることを特徴とする請求項１または請求項２に記載の霊標である。
【０００８】
請求項４に記載の考案は、前記表示部材の上部に重ねられる蓋部材をさらに備えることを特徴とする請求項３に記載の霊標である。
【０００９】
さらに、請求項５に記載の考案は、前記柱部の上端部には、前記表示部材の引っ掛け部分同士で穴が形成され、この穴にはめ込まれる差込部が前記蓋部材に形成されていることを特徴とする請求項４に記載の霊標である。
【考案の効果】
【００１０】
本考案によれば、コンパクトな構成で、戒名等の追加や削除が容易な霊標を提供できる。
【図面の簡単な説明】
【００１１】
【図１】本考案の霊標の一実施例を示す正面図である。
【図２】図１の霊標の平面図である。
【図３】図１の霊標の斜視図である。
【図４】図１のＡ−Ａ断面図である。
【図５】図３において蓋部材を外した状態を示す図である。
【図６】図３の霊標の分解斜視図である。
【考案を実施するための形態】
【００１２】
以下、本考案の霊標の一実施例について図面に基づいて具体的に説明する。
【００１３】
図１〜図３は、本考案の霊標の一実施例を示す図であり、図１は正面図、図２は平面図、図３は斜視図である。また、図４は、図１のＡ−Ａ断面図である。
図５は、図３において蓋部材を外した状態を示す図であり、図６は、図３の分解斜視図である。
【００１４】
本実施例の霊標１は、基台３と、この基台３に設けられる６つの表示部材５と、表示部材５の上方に設けられる蓋部材７とを備える。
【００１５】
基台３は、横断面六角形状の土台部９と、この土台部９の中央部から上方へ延出する柱部１１とを備え、石材により一体に形成されている。
土台部９は、その上面が、上方へ行くに従って内側へ傾斜する傾斜面に形成されると共に、中央部は、水平面に形成されている。
【００１６】
柱部１１は、横断面正六角形状とされ、土台部９の中央部に立設されている。
柱部１１の上面中央部には、六角形状の穴１３が下方へ凹んで形成され、この穴１３の周囲に壁部１５が形成されている。六角形の穴１３は、柱部１１の外形と周方向に対応して形成されている。つまり、平面視において、基台３の六角形の柱部１１の角部と、六角形の穴１３の角部とは対応した位置に形成されている。これにより、柱部１１の上端部には、六角形の環状の壁部１５が形成されている。
【００１７】
表示部材５は、長方形状の板状とされ、その上端部は、略Ｌ字形に折り返されて形成されている。具体的には、表示部材５は、長方形状の本体片２１と、この本体片２１の上端部から裏面側へ水平に延出する上片２３と、この上片２３の先端部から下方へ延出する係止片２５とにより構成される。表示部材５は、その幅方向両側端部が、裏面側へ行くに従って幅方向内側へ傾斜して形成されており、本体片２１、上片２３および係止片２５は横断面台形状に形成されている。
【００１８】
この表示部材５の本体片２１の表面に、戒名などが刻まれたり、記入されたりする。
【００１９】
表示部材５は、その上端部が、柱部１１の上端部の穴１３に引っ掛けられて基台３に着脱可能に設けられる。具体的には、表示部材５は、その係止片２５が柱部１１の穴１３にはめ込まれ、係止片２５と本体片２１とにより柱部１１の上端部の壁部１５の一辺部１５ａを挟み込んで基台３に設けられる。
表示部材５が柱部１１に取り付けられた状態では、本体片２１の裏面が、柱部１１の外面に当接する。
【００２０】
柱部１１の上端部に６つの表示部材５が引っ掛けられて設けられた状態では、柱部１１を囲うように表示部材５が配置され、隣接する表示部材５，５同士の側面は当接している。具体的には、隣接する表示部材５，５は、その本体片２１、上片２３および係止片２５の側面同士が当接して設けられる。
【００２１】
また、柱部１１に６つの表示部材５が取り付けられた状態では、６つの表示部材５は、図５に示すように、平面視で六角形を構成し、柱部１１の上端部において、各表示部材５の上片２３により六角形状の穴３１が現出する。
【００２２】
蓋部材７は、断面六角形状の板状とされ、その中央部には、下方へ突出して六角形状の差込部３３が形成されている。
【００２３】
蓋部材７は、その差込部３３が６つの表示部材５の上端部により構成される六角形状の穴３１にはめ込まれて、表示部材５の上部に重ね合わされて配置される。
【００２４】
このように、基台３の柱部１１に、６つの表示部材５が取り付けられ、表示部材５の上部に蓋部材７が載せ置かれて霊標１が構成される。
【００２５】
本実施例の霊標１は、複数の表示部材５が柱部１１を囲うように環状に配置されることで、コンパクトな構成とされ、設置面積が小さくてすむ。
また、本実施例では、表示部材５が基台３に着脱可能に設けられる。これにより、表示部材５が破損した場合などには、表示部材５を適宜取り外して交換することが可能である。
【００２６】
さらに、表示部材５を基台３から取り外せることで、戒名などの追加、削除が容易である。一枚の大きな石板で構成される従来の霊標の場合、戒名などを追加、削除などする際には、その石板を移動させる必要があり、その作業は大変であった。これに対して本実施例の霊標１の場合、表示部材５が基台３に着脱可能に設けられていることで、戒名等を追加、削除する際には、表示部材５のみを移動させるだけでよく、作業が容易である。
【００２７】
本考案の霊標は、上記実施例の構成に限らず、適宜変更可能である。
たとえば、上記実施例では、基台、表示部材および蓋部材がそれぞれ石材により形成されたが、その内の一部または全部を、セラミックス、プラスチック、または金属などで形成してもよく、その素材は適宜変更可能である。
【００２８】
また、上記実施例では柱部を断面正六角形状とし、６つの表示部材を取り付ける構成としたが、柱部を断面正八角形状とし、表示部材を８つ取り付ける構成としてもよく、柱部の形状や表示部材の形状および個数は適宜変更可能である。
【符号の説明】
【００２９】
１    霊標
３    基台
５    表示部材
７    蓋部材
１１    柱部
【図１】
0003180603.tif 000003
【図２】
0003180603.tif 000004
【図３】
0003180603.tif 000005
【図４】
0003180603.tif 000006
【図５】
0003180603.tif 000007
【図６】
0003180603.tif 000008